(57)【特許請求の範囲】
【請求項１】
少なくとも２つのシェル部およびベース部を有するブロー成形用金型を運搬する運搬デバイスと、
ベース部受け手段と前記ベース部受け手段を保持する保持デバイスと有するベース部固定デバイスとを備え、
前記ベース部受け手段がポジティブロック締め具により前記保持デバイスに固定されることが可能な、プラスチック材料容器を形成するためのプラスチック材料予備成形品の成形装置であって、
前記ポジティブロック締め具が、セラミック材料からなるポジティブロック領域を有することを特徴とする、
プラスチック材料予備成形品の成形装置。
【請求項２】
前記ベース部受け手段および／または前記保持デバイスが全面的にセラミック材料から形成されることを特徴とする、
請求項１に記載のプラスチック材料予備成形品の成形装置。
【請求項３】
前記ベース部受け手段および前記保持デバイスの両方がいずれの場合も、少なくとも１つの溝を有し、
前記ベース部受け手段および前記保持デバイスがポジティブロック方法で相互に連結されるように、前記溝は少なくとも１つの滑りブロックにより互いに対応し、
前記少なくとも１つの滑りブロックは、前記ベース部受け手段および前記保持デバイスの材料とは異なる材料である、セラミック材料からなることを特徴とする、
請求項１または請求項２に記載のプラスチック材料予備成形品の成形装置。
【請求項４】
前記ベース部受け手段は、少なくとも２つの溝を備えるアンダーカットで外側に放射状に設けられ、該アンダーカットよりさらに内側に放射状に延在する部材の凹部により、前記ベース部受け手段の前記溝が周方向に互いに離間して配置されることを特徴とする、
請求項１乃至請求項３のいずれか１項に記載のプラスチック材料予備成形品の成形装置。
【請求項５】
前記ベース部受け手段は少なくとも１つのＯリングシールによりベース部から密封されていることを特徴とする、
請求項１乃至請求項４のいずれか１項に記載のプラスチック材料予備成形品の成形装置。
【請求項６】
前記成形装置が、プラスチック材料予備成形品延伸ブロー成形プラントのクリーンルームに配置されていることを特徴とする、
請求項１乃至請求項５のいずれか１項に記載のプラスチック材料予備成形品の成形装置。
【請求項７】
前記ポジティブロック締め具は、ベース部固定デバイスのバネおよび／または溝が少なくとも部分的にセラミック材料から形成されているバネ・溝締め具を備えることを特徴とする、
請求項１乃至請求項６のいずれか１項に記載のプラスチック材料予備成形品の成形装置。
【請求項８】
前記ベース部固定デバイスのバネおよび／または溝は、前記ベース部固定デバイス上に解除式挿入部の方法で交換可能に取り付けられる少なくとも１つのセラミックベース体を有することを特徴とする、
請求項１乃至請求項６のいずれか１項に記載のプラスチック材料予備成形品の成形装置。
【請求項９】
前記ベース部固定デバイスの前記バネおよび／または前記溝は、前記ベース部固定デバイス上に解除式挿入部の方法で交換可能に取り付けられる少なくとも１つのセラミックベース体を有することを特徴とする、
請求項７に記載のプラスチック材料予備成形品の成形装置。
【請求項１０】
クリーンルームと、プラスチック材料予備成形品成形用のブロー成形金型を備える少なくとも１つのブロー成形工程とで、前記プラスチック材料予備成形品をプラスチック材料容器に延伸ブロー成形するためのプラントであって、
請求項１乃至請求項９のいずれか１項に記載の成形装置を有することを特徴とする、
延伸ブロー成形プラント。
【請求項１１】
クリーンルーム内の延伸ブロー成形装置の、ベース部受け手段を保持デバイスに固定することが可能なポジティブロック締め具における潤滑剤の代替品として、セラミック部品及び／又は少なくとも部分的にセラミック材料に被覆された機能部品を使用する方法。
【発明の詳細な説明】
【技術分野】
【０００１】
本発明は、ブロー成形装置に関し、特に、少なくとも２つのシェル部およびベース部を備えるブロー成形用金型を運搬する運搬デバイスと、ベース部受け手段およびベース部受け手段を保持する保持デバイスとを備えるベース部固定デバイスとで、プラスチック材料予備成形品を延伸ブロー成形してプラスチック材料容器を形成する装置であって、ベース部受け手段をポジティブロック締め具により保持デバイスに固定することができる装置に関する。保持デバイスは、摩耗の際に容易に交換できるようにシェル部に締結される追加部品の形で、あるいはシェル部を構成する一部分の形で構成できることが好ましい。
【０００２】
また、本発明は、成形プラントに関し、特にプラスチック材料予備成形品をプラスチック材料容器に延伸ブロー成形するためのプラントであって、クリーンルームと、プラスチック材料予備成形品に形状を与えるブロー成形用金型を備える少なくとも１つのブロー成形工程とが設けられたプラントに関する。
【０００３】
同じく、本発明は、セラミック部品、および／または少なくとも部分的にセラミック材料で被覆されている機能部品の使用に関する。
【背景技術】
【０００４】
市販のブロー成形装置は、種々のバリエーションで存在し、特に、これらのブロー成形装置からプラスチック材料の飲料ボトルを満足のいくように製造することが可能である。この目的を達成するために、プラスチック材料予備成形品をブロー成形用金型に挿入し、処理圧力により膨張させて飲料を注入、保存できる実際のプラスチック材料容器を形成する。プラスチック材料予備成形品の膨張によりブロー成形用金型にて成形したプラスチック材料容器をこの金型から取り除くこともできるように、実際のブロー成形用金型は、一般には、互いに分離可能な複数の部分、すなわち、２つの側面のシェル部と、その上にしっかり固定されることが可能なベース部とを有する。
【０００５】
全体において、２つの側面のシェル部およびベース部は、それらの内部で、製造されるプラスチック材料容器のネガティブ形状（negative shape）を形成する。プラスチック材料予備成形品の膨張中、比較的高い押付力が発生し、また、特に、ベース部に作用し、ベース部を下方に押圧する。２つのシェル部に半径方向に作用する押付力が２つのシェル部を運搬する運搬デバイスに吸収されている間、ベース部に軸方向に作用する押付力が、同じ様に運搬デバイスまたはベース部固定デバイスに伝わる必要がある。
【０００６】
この目的を達成するために、運搬デバイスまたはベース部固定デバイスの各々は、対応のベース部保持手段を備える。軸方向に作用する押付力のために、ベース部保持手段が変形してはならず、またベース部自体がシェル部から立ち上がるべきではない。そうしなければ、シェル部とベース部との間の金型に隙間が形成され、これが後にプラスチック材料容器上で歴然とした見苦しい跡となるからである。特に、この理由で、ベース部受け手段は、ポジティブロック締め具により、ベース部固定デバイスの保持シェル上に支持するのが理想的である。
【０００７】
それに加えて、ポジティブロック締め具により、ベース部を２つのシェル部に対して中央に位置させることができる。プラスチック材料容器の製造時における衛生基準に関する最も厳しい条件を満たすことができるように、プラスチック材料容器のブロー成形工程および後続の充填工程の両方がクリーンルームで頻繁に行われる。この状況において特に発生する問題は、ポジティブロック締め具が形成されている間、部品（ベース部受け手段および保持シェル）に頻繁に潤滑剤を与える必要があることである。特に、衛生面で非常に要求度が高い処理、特にクリーンルームにおいては、これらの作用が細菌の発生を促進してしまうので、潤滑剤は望ましくない。そのため、潤滑剤の使用を最小限にすること、または理想的には完全に潤滑剤を省くことが長期間望まれてきた。
【０００８】
従来技術として、プラスチック材料予備成形品のブロー成形機の多部品ブロー成形用金型に関する技術が、特許文献１に開示されている。当該技術では、ベース部の側面に沿って旋回させることができる固定デバイス部品により、ブロー成形用金型のベース部受け手段を、ブロー成形金型の側面のシェルに対してポジティブロック方法で固定することができる。固定デバイス部品と固定されるベース部との間のポジティブロック締め具に過分の潤滑剤の使用ができるように、互いに直接対応するポジティブロック部品が復合プラスチック材料で被覆されている。これは、構造上、一方でベース部の外周が被覆され、他方で固定デバイス部品が複合プラスチック材料で被覆されていることによって、本質的に複合プラスチック材料のみが動作可能に接触する。その結果、十分に良好な滑り特性を有するポジティブロック部品を製造することができるため、潤滑剤を省くことが可能である。
【先行技術文献】
【特許文献】
【０００９】
【特許文献１】ＷＯ２００９／１５６６９８号公報
【発明の概要】
【発明が解決しようとする課題】
【００１０】
しかしながら、複合プラスチック材料は、従来のスチール部品と比べて、特に摩耗が増大しやすい。
【００１１】
本発明の目的は、上述の課題に対し、プラスチック材料予備成形品の延伸ブロー成形装置において、周知のポジティブロックスチール締め具とおおよそ同程度の安定性を実現するとともに、潤滑剤を追加することなく、十分に良好な滑り特性を実現することである。
【課題を解決するための手段】
【００１２】
本発明の目的は、特に、少なくとも２つのシェル部およびベース部を有するブロー成形用金型を運搬する運搬デバイスと、ベース部受け手段とベース部受け手段を保持する保持デバイスと有するベース部固定デバイス（１０）とを備え、ベース部受け手段が、ポジティブロック締め具により保持手段に固定されることが可能なポジティブロック締め具が、セラミック材料から製造されるポジティブロック領域を有する、プラスチック材料容器を形成するためのプラスチック材料予備成形品の延伸ブロー成形を行う成形用装置によって達成される。
【００１３】
本発明によれば、ポジティブロック締め具の形成にセラミック材料を使用し、その結果、非常に高い安定性を確保すると同時に、それにもかかわらず、互いに対応する、あるいは互いに係合するポジティブロック部品において、周知のブロー成形用金型のポジティブロック締め具の場合よりも十分に良好な滑り特性を、有益な方法で達成することができる。特に、セラミック材料は、かなり高い耐摩耗性を特徴とするとともに、非常に低い熱膨張挙動を有する。その結果、本発明のポジティブロック締め具は、上述の従来技術よりさらに明らかに突出している。この点に関し、ポジティブロック締め具は、極めて高い耐摩耗性があり、良好な滑り特性のために、潤滑剤を追加することを必要としない。
【００１４】
本発明では、セラミック複合材料もセラミック材料とみなされる。
【００１５】
この場合、例えば異なるブロー成形用金型に変更する場合のように、例えば接続金具を交換する際に、ポジティブロックセラミック領域を延伸ブロー成形装置に留めたままにしておくことが特に好ましい。その結果、下記において詳細に説明するように、必要なセラミック部品の数を少なく保つことができ、その結果、さらにコストを低減することが可能となる。
【００１６】
この点に関し、ポジティブロックセラミック領域またはそれぞれの部品を、例えば適切なフランジ締結を手段として、ブロー成形用金型を運搬する運搬デバイスに、交換可能な方法で直接または間接的に配置することが極めて好ましい。このように、接続金具を交換する際に、これらを永久的に本発明の装置に留めることができるとともに、更に他のブロー成形用金型にも有利に利用することができる。致命的な摩耗が生じたときにのみポジティブロックセラミック部位を交換する必要がある。
【００１７】
最後に挙げたこれらの特徴は、セラミック材料を、このポジティブロック機構留め具に関し、より経済的に使用できるということに大きく貢献するので、これら最後に挙げた特徴だけで、本発明の装置を従来技術に対して非常に有利に発展させることができる。
【００１８】
また、少なくとも部分的に、クリーンルームにおける延伸ブロー成形装置のポジティブロック締め具の潤滑剤の代替として、セラミック材料で被覆されるセラミック部品および／または機能部品を使用することにより、本発明の目的を達成する。本発明によると、これらの部品を用いることによって、衛生面の厳しい条件を満たす飲料ボトル製造用延伸ブロー成形プラントのクリーンルームにおいて潤滑剤の追加を不要とすることが可能となる。
【００１９】
この延伸ブロー成形装置を特に構造的に小さくできるように、ポジティブロック締め具が、例えば冷媒のような調節媒体（tempering medium）を提供する付属装置を備えることが非常に好ましい。例として、ポジティブロック締め具を形成または構成するベース部受け手段には、この種の付属装置が設けられており、この場合、ベース部受け手段を、完全にセラミック部品またはセラミック部品群の形で製造することが好ましい。
【００２０】
平板状に設計することが好ましいベース部受け手段を、ベース部固定デバイスの保持デバイスで満足に保持または固定することができるように、前記保持デバイスは、対応する保持シェルを備えることが好ましい。
【００２１】
このポジティブロック締め具を様々な方法で設計することができる。ブロー成形分野で特に効果が得られているのは、半径方向に重ね合わせるように協働し、特にベース部受け手段上で軸方向に作用する主な力を吸収することが可能な締め付け要素を備えているが、互いに滑りながら半径方向に重ね合わせるような厳しいやり方で協働する締め付け要素は備えていない締め具である。この場合、指の間の皮膜（ｗｅｂ）形態の締め付け要素が、対応する下面くり抜き部（undercut）部の後方に半径方向に十分に突出している。例として、この点に関し、ポジティブロック方式のバネ・溝締め具についてより詳細に説明する。
【００２２】
このため、本発明のポジティブロック締め具が、ベース部固定デバイスのバネおよび／または溝が少なくとも部分的にセラミック材料から製造されるバネ・溝デバイスを備えることが好ましい。バネ・溝デバイスは非常に頑丈であるとともに、単純であることが特徴でもある。
【００２３】
バネおよび溝は、主にバネ・溝締め具において協働するので、この点に関し、バネおよび溝は、特に滑り面の領域において、少なくとも部分的にセラミック材料から構成されることが好ましい。
【００２４】
特に保持シェルに対するベース部受け手段の良好なセンタリングを達成するために、ポジティブロック締め具の互いに対応する部品、特にバネ・溝デバイスのバネおよび溝が、角柱状の外形を有することが好ましい。
【００２５】
本発明において、「バネ・溝デバイス」という語は、少なくとも１つの凹部の下面くり抜き部に係合する少なくとも１つのウェブを用いて、互いに対応する部品間でポジティブロック締め具を作り出すことが可能な締結デバイスを表している。
【００２６】
この場合、ベース部受け手段に溝を配置することが可能であり、保持デバイスにバネを配置することが可能である。しかし、逆の配置も可能である。
【００２７】
本願のベース部固定デバイスを、ブロー成形用金型のシェル部を運搬および作動させる運搬デバイスと一体で製造することができる。ベース部固定デバイスを運搬デバイス上の別個の部品として配置できることも好ましい。
【００２８】
相互に交換可能な方法でベース部固定デバイス上の挿入部として装着されることが特に好ましいセラミックベース体を、ベース部固定デバイスのバネが、少なくとも1個有する場合、もし必要であれば、バネを迅速にかつ容易に交換することが可能である。この点に関し、メンテナンスおよび／または修理作業も有利に実施されることが可能となる。
【００２９】
相互交換可能な方法でベース部固定デバイス上の挿入部として装着されることが特に好ましいセラミックベース体を、ベース部固定デバイスの溝が、少なくとも1個有する場合、バネにもたらされる効果を、溝にももたらせることが可能となる。
【００３０】
この場合、ベース部固定デバイスの残りの部品または部品群は、従来技術と同様、都合の良い方法で、スチールから製造することが可能である。
【００３１】
さらに好ましい実施の形態の変形例として、ベース部受け手段および／または保持デバイスまたは保持シェルの各々が、完全にセラミック材料から形成することができる。実施の形態の本変形例では、セラミック／金属複合部品を製造することが絶対必要ではないので、製造が容易であるという効果を得ることができる。
【００３２】
例として、保持シェルのみを完全にセラミック材料から製造し、一方で、ベース部受け手段を、スチールのままで製造して、ベース部受け手段を従来技術タイプとすることや、その逆とすることが可能である。
【００３３】
本発明の別の側面によれば、少なくとも２つのシェル部およびベース部を備えるブロー成形用金型を運搬する運搬デバイスと、ベース部受け手段とベース部受け手段を保持する保持デバイスとを備えるベース部固定デバイスとを備え、ベース部受け手段が、ポジティブロック締め具により保持デバイスに固定することが可能なプラスチック材料容器を形成するためのプラスチック材料予備成形品の延伸ブロー成形装置であって、ベース部固定デバイスが、ベース部受け手段およびそれぞれベース部受け手段を保持する保持デバイスまたは保持シェルを備える。そして、ベース部受け手段および保持デバイスまたは保持シェルの各々が、いずれの場合も、少なくとも１つの溝を有し、これら溝は、ベース部受け手段および保持デバイスまたは保持シェルがポジティブロッキング方法で互いに接続されるように、少なくとも１つの滑りブロックにより互いに対応し、滑りブロックが、ベース部受け手段および保持デバイスまたは保持シェルのそれぞれの材料とは異なる材料から製造されることが好ましいことを特徴とする装置であることによって、本発明の目的を達成する。
【００３４】
本解決手段は、特に、ブロー成形用金型に非常に少数のセラミック部品を用いてポジティブロックセラミック締め具を実現することが可能な、極めて簡易な設計を特徴としている。その結果、前記ブロー成形用金型を容易に据え付けすることが難なく可能となる。
【００３５】
この点に関し、滑りブロックがセラミックベース体を有することが好ましい。
【００３６】
ベース部固定デバイスのベース部受け手段は、少なくとも2つの溝を有する下面くり抜き部を備え、外側に半径方向に設けられ、この溝は、下面くり抜き部よりさらに内側に半径方向に延在する、部材に設けられた凹部により、ベース部受け手段の周辺方向に互いに離間して配置され、その結果、滑りブロックを溝内部に非常に良好に固定することができ、滑りブロックが不要に周方向に移動することを防ぐことができる。
【００３７】
特にブロー成形用金型のベース部とベース部固定デバイスのベース部受け手段との間で、締結領域を封鎖できるように、衛生面で満足できる方法で、ベース部受け手段を少なくとも１つのＯリングシールによりベース部から切り離すことが好ましい。その結果、衛生面の危険度をさらに低減することができる。
【００３８】
特に好ましい実施形態の変形例としては、延伸ブロー成形装置を、プラスチック材料予備成形品の延伸ブロー成形プラントのクリーンルームに配置する。クリーンルームで潤滑剤を使用することは、衛生面で非常に危険であると見なされているので、この延伸ブロー成形装置をクリーンルームに配置することは特に目的にかなっている。しかし、本発明に係る延伸ブロー成形装置によると、ポジティブロック締め具を滑りやすくするための潤滑剤の使用を省くことが可能となる。このような延伸ブロー成型機の無菌設計は、本発明者のＷＯ２０１０／０２０５２９号公報において知られている。本文献の開示内容は、全体にわたり本願の開示内容に引用として組み込まれている。ブロー成形工程の搬送路周辺のダクトの形で無菌室を設計することが好ましい。ブロー成形部が配置される搬器の領域を望ましいクリーンルームの外部に配置することも好ましい形態である。
【００３９】
さらに、本発明の目的は、ここで述べたいずれかの特徴を有し、クリーンルームと、少なくとも１つのブロー成形工程とでプラスチック材料予備成形品をを成形するためのブロー成形用金型を備える、プラスチック材料予備成形品をプラスチック材料容器に延伸ブロー成形するためのプラントにより達成される。プラントは、複数のブロー成形装置、特に上述のタイプの延伸ブロー成形装置を有することが好ましい。
【００４０】
特に、クリーンルームおよびブロー成形用金型における潤滑剤使用の問題については、このように構造的に特に簡単かつ低価な方法で対処することができる。
【００４１】
全ての上記部品、特にベース部受け手段および保持シェルの固定を、微生物学的に問題がない方法で、延伸ブロー成形装置上で、好ましくはネジ締結により理想的に行う必要がある。これは、特に、これらの部品に摩耗または不良が生じた場合に、これらの部品を簡単に交換できるという利点を有する。また、これらの部品は、殺菌が簡単である。
【００４２】
まとめると、セラミック材料の使用に関して、特に下記の実施の形態の変形例が好ましい。すなわち、まず１つ目は、セラミック材料の解除式挿入部を、保持シェルにて締結でき、残りの部品をスチールから製造することができる。２つ目は、代わりに解除式挿入部をベース部受け手段に締結でき、残りの部品をスチールから製造する。３つ目は、保持シェルを完全にセラミック材料から構成することができ、４つ目は、ベース部受け手段を追加的または交換的にセラミック材料から構成することができる。
【発明の効果】
【００４３】
従来技術と比べた本発明の特異な効果は、セラミック材料が、例えば、ブロー成形用金型、ベース部等の交換部品の内部または上部には含まれていないが、ブロー成形装置の付属品が交換された時でさえ、ブロー成形装置のベース部固定デバイス上に、セラミック材料が好ましく残った状態になっていることである。
【図面の簡単な説明】
【００４４】
【図１】少なくとも２つのシェル部およびベース部を備える部分的に開口したブロー成形用金型と、ベース部受け手段および保持シェルを有するベース部固定デバイスを備える運搬デバイスとを有する延伸ブロー成形装置の図である。
【図２】ベース部固定デバイスの第１詳細図である。
【図３】ベース部固定デバイスのさらに詳細な図である。
【図４】円形ベース受け手段の実施形態の図である。
【図５】矩形ベース受け手段の実施形態の図である。
【図６】他のベース部固定デバイスの部品の図である。
【発明を実施するための形態】
【００４５】
本発明の実施形態を、添付する図面に基づいて、更なる効果、目的および特徴を詳細に述べる。本発明の実施形態として、種々の方法で設計されたベース部固定デバイスを備える本発明に係る延伸ブロー成形装置を、例として例示及び説明する。
【００４６】
図１は、本実施形態におけるプラスチック材料予備成形品（ここでは図示しない）をプラスチック材料容器（同じく、ここでは図示しない）に延伸ブロー成形するための延伸ブロー成形装置１の構成を示す図である。図１に示すように、延伸ブロー成形装置１は、第１側面シェル部４、第２側面シェル部５およびベース部６を本質的に備えるブロー成形用金型３を運搬する運搬デバイス２を備える。また、２つのシェル部４，５、およびベース部６は、それぞれのプラスチック材料容器の成形に関与している。
【００４７】
運搬デバイス２は、２分割され、第１側面のシェル部４を運搬する第１運搬デバイス半部分７と、第２側面のシェル部５を運搬する第２運搬デバイス半部分８を有する。２つの側面のシェル部４，５は、周知の方法で開閉可能となるように、２つの運搬デバイス半部分７，８は、この場合互いに対して回動可能になるように運搬棒９に装着されている。
【００４８】
ベース部受け手段１１と、第１保持デバイス１２と、第２保持デバイス１３とを本質的に備えるベース部固定デバイス１０は、運搬デバイス２の下側に解除可能に締結されており、この場合、ベース部受け手段１１と、そしてベース部６とを、２つの保持デバイス１２，１３によって、特に２つのシェル部４および５に対して保持および固定をすることができる。
【００４９】
この場合、２つの保持デバイス１２および１３は、保持シェルまたは半シェル１４，１５を備えており、第１半シェル１４は、フランジ締め具１６により第１運搬デバイス半部分７にフランジ取り付けされており、第２半シェル１５は、さらにフランジ締め具１７により第２運搬デバイス半部分８にフランジ取り付けされている。
【００５０】
このように、特に保持シェルまたは半シェル１４，１５、および通常はベース部受け手段１１についてもまた、例えば、ブロー成形用金型３の付属品変更の際に、延伸ブロー成形装置１に有利に保持することができる。
【００５１】
ベース部受け手段１１は、動作的に信頼できる方法で固定できるように、ブロー成形用金型３の動作中、ポジティブロック締め具１８を用いて、ポジティブロック方法で２つの半シェル（第１半シェル１４および第２半シェル１５）によって固定される。従って、ベース部受け手段１１および／またはブロー成形用金型３のベース部６が、ブロー成形用金型３内部の押付力によって、危険な形で変形したり、危険な形でブロー成形用金型の２つのシェル部４および５から立ち上がることなく、ベース部受け手段１１を２つの半シェル（第１半シェル１４および第２半シェル１５）によって、動作的に信頼できる方法で固定できる。ブロー成形用金型３を調節するための調節媒体として、特に冷媒の対応ソケット１９をベース部受け手段１１の下側に設ける。さらに、延伸ブロー成形装置１は、プラスチック材料予備成形品を膨張するためのブロー成形ノズル(図示しない)を有する。
【００５２】
ここに示す延伸ブロー成形装置１は、延伸ブロー成形プラント２１のクリーンルーム２０（ここでは明確に図示しない）に好ましく位置決めされているので、例えば、クリーンルーム２０でのプラスチック材料予備成形品の延伸ブロー成形中の衛生条件を満たすために、潤滑剤（ここでは図示しない）は、特にポジティブロック締め具１８上にも付与すべきでない。
【００５３】
本発明によると、このポジティブロック締め具１８には、潤滑剤の代替としてセラミック材料から製造されたポジティブロック領域２２（特に図2参照）が設けられている。互いにこすり合うセラミック材料から製造されたポジティブロック領域２２は、潤滑剤を追加しなくても問題なく互いに滑り合うことができる。さらに、セラミック材料から製造されたこれらのポジティブロック領域２２は、十分な硬度特性を有しており、そしてこの点に関し適切な耐摩耗性も有している。
【００５４】
この場合、ポジティブロック締め具１８に構造的に関与する構成部品を、セラミック材料で覆うことや塗装をすることができる。
【００５５】
あるいは、ポジティブロック締め具１８に構造的に関与する構成部品は、完全にセラミック材料から製造される第１半シェル１４および第２半シェル１５（図１乃至図３に図示）と同様に、固体セラミック部品の形で設計されている。
【００５６】
図２および３で更に詳細に示されるポジティブロック締め具１８は、構造上簡単に設計され、そして、第１実施の形態に示すように、保持シェルに対してバネ２４を有し、ベース部受け手段１１に対して溝２５を有するバネ・溝デバイス２３を特徴としている。
【００５７】
この場合、２つの半シェル（第１半シェル１４および第２半シェル１５）は、固体セラミック部品の形で設計されている。第１半シェル１４および第２半シェル１５は、それぞれ運搬デバイス半部分７および運搬デバイス半部分８に解除可能にフランジ取り付けされていることから、さらに前記延伸ブロー成形装置に好ましい方法で据え付けることができる。
【００５８】
本実施の形態では、ベース部受け手段１１は好ましい方法でスチールから製造されているので、ベース部受け手段１１は従来の特性を備えることもできる。
【００５９】
明らかに、ブロー成形用金型３のベース部６はベース部受け手段１１に締結されており、その場合、接触面上の望ましくない隙間を避ける、あるいは密閉することができるように、さらに内側に半径方向に位置する第１Ｏリングシール２６および第２Ｏリングシール２７がベース部６の下側に配置されている。その結果、衛生上の危険性はさらに有利に低下する。この場合、位置決めをより良くするために、ベース部受け手段１１および／またはベース部６に、２つのＯリングシール２６、２７に対応するＯリング受け溝（数はここでは明記しない）を設けることが可能である。
【００６０】
図４に示す円形セラミックベース部受け手段２８は、上部の円形Ｏリング受け溝２９を特徴としており、この円形Ｏリング受け溝２９に、第１Ｏリングシール２６または第２Ｏリングシール２７を挿入することができる。この円形セラミックベース部受け手段２８を、非常に簡単かつ低価な方法で回転部品として設計することができる。
【００６１】
代替形態である図５に示す略矩形セラミックベース部受け手段３０は、上部の正方形Ｏリング受け手段３１を特徴としており、この正方形Ｏリング受け手段３１に、第１Ｏリングシール２６または第２Ｏリングシール２７を各々同様に挿入することができる。しかし、矩形セラミックベース部受け部３０は、一般に、圧延部品として比較的複雑な方法で製造されなければならない。
【００６２】
図６に示す特に好ましい実施の形態である変形例では、前記延伸ブロー成形装置１に用いられる代替形態としてベース部受け手段１１１は、中央リング１３５として配置され、第１半シェル１１４および第２半シェル１１５は、いずれの場合もスチールで設計されて配置される。
【００６３】
この場合、一側面において、ベース部受け手段１１１は、第１外側溝１３７および第２外側溝１３８を備えた下面くり抜き部１３６を外側に半径方向に有しており、２つの外側溝１３７および１３８は、ベース部受け手段１１１の周辺から見た場合、部材の第１凹部１３９および第２凹部１４０によって互いに離間して配置されている。部材の第１凹部１３９および第２凹部１４０は、一方では第２外側溝１３８を通じてベース部受け手段１１１を介して軸方向に延び、他方では下面くり抜き部１３６より更に内側に半径方向に延びている切り込みの形で延在している。
【００６４】
他の側面では、第１半シェル１１４および第２半シェル１１５は、いずれも内側溝１４１および１４２を有しており、外側溝１３７，１３８の穴と内側溝１４１および１４２の穴は、延伸ブロー成形装置１の正常動作状態で互いに反対側に位置しているので、ベース部受け手段１１１と２つの第１半シェル１１４および第２半シェル１１５は、ポジティブロック方法で第１滑りブロック１４３および第２滑りブロック１４４により互いに接続されている。この場合、第１滑りブロック１４３および第２滑りブロック１４４は、これらに関連したそれぞれの外側溝１３７および１３８と、これらに関連したそれぞれの内側溝１４１および１４２とにそれぞれ係合する。
【００６５】
図６に示す実施の形態では、第１滑りブロック１４３および第２滑りブロック１４４は、いずれの場合もセラミック材料から製造されており、その結果、関連部品間で好ましいポジティブロック締め具１１８が形成される。
【００６６】
この場合、ベース部受け手段１１１および／または２つの半シェル１１４および１１５を、特定の実施形態の変形例において好ましい場合は、同様にセラミック材料から構成することが可能である。
【００６７】
部材の第１凹部１３９および第２凹部１４０の領域において、滑りブロック１４３および１４４は、それらに対応する凹部１４５および１４６を有しているので、滑りブロック１４３および１４４とベース部受け手段１１１が、互いに対して回転することを防止する。
【００６８】
この場合、滑りブロック１４３および１４４が、外側溝１３７および１３８または内側溝１４１および１４２において解除式挿入部１４７として（ここでは、例としてのみ番号付けする）固定されているかどうかは重要ではない。
【００６９】
固定の目的で、滑りブロック１４３および１４４は、それぞれの半シェル１１４および１１５にネジ締結にてネジ止めされている（ここでは明確に図示しない）。この目的を達成するために、ネジ受け穴１４８（例としてのみ、番号付けする）が、いずれの場合も半シェル１１４および１１５に設けられ、これらネジ受け穴１４８は、いずれの場合も半シェル１１４および１１５をこれらに関連する運搬デバイス半部分７および８それぞれに締結する際にも使用される。
【００７０】
上記実施の形態は、本発明に係る延伸ブロー成形機の一実施形態に過ぎないものである。
【００７１】
これに関して、本発明のデザインは、これら実施の形態にのみ限定されない。
【００７２】
出願者は、出願書類に開示した各特徴のまたは全特徴が、個別または組み合わされて従来技術に比して新規である限り、本発明に最も重要であることを主張する権利を留保する。
【符号の説明】
【００７３】
１            延伸ブロー成形用装置
２            運搬デバイス
３            ブロー成形用金型
４            第１側面のシェル部
５            第２側面のシェル部
６            ベース部
７            第１運搬デバイス半部分
８            第２運搬デバイス半部分
９            運搬棒
１０          ベース部固定デバイス
１１          ベース部受け手段
１２          第１保持デバイス
１３          第２保持デバイス
１４          第１半シェル／保持シェル
１５          第２半シェル／保持シェル
１６          フランジ締め具
１７          追加用フランジ締め具
１８          ポジティブロック締め具
１９          調節媒体用ソケット
２０          クリーンルーム
２１          延伸ブロー成形プラント
２２          セラミックポジティブロック領域
２３          バネ・溝デバイス
２４          バネ
２５          溝
２６          第１Ｏリングシール
２７          第２Ｏリングシール
２８          円形セラミックベース部受け手段
２９          円形Ｏリング受け手段
３０          矩形セラミックベース部受け手段
３１          正方形Ｏリング受け手段
１１１        変形例のベース部受け手段
１１４        変形例の第１半シェル
１１５        変形例の第２半シェル
１１８        ポジティブロック締め具
１３５        中央リング
１３６        下面くり抜き部
１３７        第１外側溝
１３８        第２外側溝
１３９        部材の第１凹部
１４０        部材の第２凹部
１４１        第１内側溝
１４２        第２内側溝
１４３        第１滑りブロック
１４４        第２滑りブロック
１４５        第１凹部
１４６        第２凹部
１４７        解除式挿入部
１４８        ネジ受け穴
【図１】
0005873391.tif 000002
【図２】
0005873391.tif 000003
【図３】
0005873391.tif 000004
【図４】
0005873391.tif 000005
【図５】
0005873391.tif 000006
【図６】
0005873391.tif 000007